(57)【要約】  本発明は、情報伝送方法を提供する。この方法では、ＲＳシンボルがＰＵＣＣＨの開始位置に配置され、ＵＣＩシンボルがＰＵＣＣＨ内のＲＳシンボルの後に配置され、ＰＵＣＣＨが伝送される。本発明は、情報伝送装置及びコンピュータ読み取り可能な記録媒体をさらに提供する。
2020508598.tif 000002
【特許請求の範囲】
【請求項１】
物理アップリンク制御チャネルＰＵＣＣＨの開始位置に第１の参照信号ＲＳシンボルを配置することと、
ＰＵＣＣＨ内の第１のＲＳシンボルの後にアップリンク制御情報ＵＣＩシンボルを配置することと、
ＰＵＣＣＨを伝送することとを含む
情報伝送方法。
【請求項２】
前記ＰＵＣＣＨを伝送することは、
第１のタイプの１つ又は複数のスロットでＰＵＣＣＨを伝送し、ここで、第１のタイプの各スロットにおける全てのシンボルは、ＰＵＣＣＨを伝送するための専用のアップリンクであること、
第２のタイプの１つ又は複数のスロットでＰＵＣＣＨを伝送し、ここで、第２のタイプの各スロットにおけるシンボルの半分以上は、ＰＵＣＣＨを伝送するための専用のアップリンクであること、
第１のタイプの１つ又は複数のスロット及び第２のタイプの１つ又は複数のスロットを含む複数のスロットでＰＵＣＣＨを伝送することのうちの１つを含み、
ここで、ＰＵＣＣＨの開始位置に第１のＲＳシンボルを配置することは、
第１又は第２のタイプの各スロットにおいて、ＰＵＣＣＨの開始位置に第１のＲＳシンボルを配置することを含む
請求項１に記載の方法。
【請求項３】
第１又は第２のタイプの各スロットにおいて、ＰＵＣＣＨの末端に第２のＲＳシンボルを配置すること、
第１又は第２のタイプの各スロットにおけるＰＵＣＣＨ内で、１つ又は複数の第３のＲＳシンボルをＵＣＩシンボル間に均等に配置することのうちの少なくとも１つのをさらに含む
請求項２に記載の方法。
【請求項４】
第１又は第２のタイプの各スロットにおいて、スロットにおける最後のシンボルがＲＳシンボル又はＵＣＩシンボルで埋められるまで、ｎ個の連続するＵＣＩシンボルごとに直後に１つ又は２つのＲＳシンボルを配置することをさらに含み、ここで、ｎは１以上の整数である
請求項２に記載の方法。
【請求項５】
ＰＵＣＣＨを伝送する前に、ＰＵＣＣＨ内のＵＣＩシンボルの少なくとも一部に対して時空間ブロック符号化ＳＴＢＣを実行してＳＴＢＣコードを構築することをさらに含む
請求項１〜４のいずれか１項に記載の方法。
【請求項６】
ＰＵＣＣＨにおいてＵＣＩを搬送する各変調シンボルに対して直交シーケンスを生成することをさらに含み、ここで、ＵＣＩシンボルは時間的にｍ個のＵＣＩシンボルを含み、ここで、ｍは整数で、２以上であり、
ここで、ＵＣＩシンボルの少なくとも一部に対してＳＴＢＣを実行することは、
時間的に（２ｋ−１）番目及び（２ｋ）番目のＵＣＩシンボルについて、
（２ｋ−１）番目及び（２ｋ）番目のＵＣＩシンボルに対応する直交シーケンスの要素を直接に使用して、第１のクループのＳＴＢＣコード対を構築することと、
（２ｋ−１）番目及び（２ｋ）番目のＵＣＩシンボルに対応する生成された直交シーケンスの要素に対して共役変換を実行して、第２のクループのＳＴＢＣコード対を構築することとを含み、
ここで、ＰＵＣＣＨを伝送することは、
第１のアンテナを介して第１のクループのＳＴＢＣコード対を有するＰＵＣＣＨを伝送することと、
第２のアンテナを介して第２のクループのＳＴＢＣコード対を有するＰＵＣＣＨを伝送することとを含み、
ここで、ｋは正の整数で、ｍ／２以下である
請求項５に記載の方法。
【請求項７】
ｍが奇数であるとき、ＰＵＣＣＨを伝送する前に、
前記ｍ個のＤＣＩシンボルのうちの時間的に最後のＤＣＩシンボルに対して巡回遅延ダイバーシティＣＤＤ又は空間直交リソース伝送ダイバーシティＳＯＲＴＤを実行して、最後のＤＣＩシンボルに対してＣＤＤ又はＳＯＲＴＤコードを構築することをさらに含む
請求項６に記載の方法。
【請求項８】
ＰＵＣＣＨを伝送することは、
第１又は第２のタイプのスロットのうちの単一のスロットで伝送されるＰＵＣＣＨを第１の部分と第２の部分とに分割することと、
第１の周波数帯域でＰＵＣＣＨの第１の部分を伝送することと、
第２の周波数帯域でＰＵＣＣＨの第２の部分を伝送することとをさらに含む
請求項１〜７のいずれか１項に記載の方法。
【請求項９】
ＰＵＣＣＨは、ＰＵＣＣＨの第２の部分がＲＳシンボルで始まるように分割される
請求項８に記載の方法。
【請求項１０】
プロセッサーと、
メモリに記憶されて、プロセッサーによって実行される１つ又は複数のモジュールと、を備え、
前記１つ又は複数のモジュールは、
第１の参照信号ＲＳシンボルを物理アップリンク制御チャネルＰＵＣＣＨの開始位置に配置し、アップリンク制御情報ＵＣＩシンボルをＰＵＣＣＨ内の第１のＲＳシンボルの後に配置するように構成される配置モジュールと、
ＰＵＣＣＨを伝送するように構成される伝送器と、を含む
情報伝送装置。
【請求項１１】
前記伝送器は、
第１のタイプの１つ又は複数のスロットでＰＵＣＣＨを伝送し、ここで、第１のタイプの各スロットにおける全てのシンボルは、ＰＵＣＣＨを伝送するための専用のアップリンクであり、
第２のタイプの１つ又は複数のスロットでＰＵＣＣＨを伝送し、ここで、第２のタイプの各スロットにおけるシンボルの半分以上は、ＰＵＣＣＨを伝送するための専用のアップリンクであり、
第１のタイプの１つ又は複数のスロット及び第２のタイプの１つ又は複数のスロットを含む複数のスロットでＰＵＣＣＨを伝送することのうちの１つを実行するように構成され、
ここで、ＲＳ配置モジュールは、第１又は第２のタイプの各スロットにおいて、第１のＲＳシンボルをＰＵＣＣＨの開始位置に配置するように構成される
請求項１０に記載の装置。
【請求項１２】
前記配置モジュールはまた、
第１又は第２のタイプの各スロットにおいて、第２のＲＳシンボルをＰＵＣＣＨの末端に配置すること、
第１又は第２のタイプの各スロットにおけるＰＵＣＣＨ内で、１つ又は複数の第３のＲＳシンボルをＵＣＩシンボル間に均等に配置することのうちの少なくとも１つを実行するように構成される
請求項１１に記載の装置。
【請求項１３】
前記配置モジュールはまた、スロットにおける最後のシンボルがＲＳシンボル又はＵＣＩシンボルで埋められるまで、第１又は第２のタイプの各スロットにおいてｎ個の連続するＵＣＩシンボルごとに直後に１つ又は２つのＲＳシンボルを配置するように構成され、ここで、ｎは１以上の整数である
請求項１１に記載の装置。
【請求項１４】
前記１つ又は複数のモジュールは、
ＰＵＣＣＨ内のＵＣＩシンボルの少なくとも一部に対して時空間ブロック符号化ＳＴＢＣを実行して、ＳＴＢＣコードを構築するように構成される伝送ダイバーシティモジュールをさらに含む
請求項１０〜１３のいずれか１項に記載の装置。
【請求項１５】
前記１つ又は複数のモジュールは、
ＰＵＣＣＨにおいてＵＣＩを搬送する各変調シンボルに対して直交シーケンスを生成するように構成されるシーケンス生成モジュールをさらに含み、ここで、前記ＵＣＩシンボルは時間的にｍ個のＵＣＩシンボルを含み、ここで、ｍは整数で、２以上であり、
ここで、伝送ダイバーシティモジュールは、時間的に（２ｋ−１）番目及び（２ｋ）番目のＵＣＩシンボルについて、
（２ｋ−１）番目及び（２ｋ）番目のＵＣＩシンボルに対応する直交シーケンスの要素を直接に使用して、第１のクループのＳＴＢＣコード対を構築し、
（２ｋ−１）番目及び（２ｋ）番目のＵＣＩシンボルに対応する生成された直交シーケンスの要素に対して共役変換を実行して、第２のクループのＳＴＢＣコード対を構築するように構成され、
ここで、伝送器は、
第１のアンテナを介して第１のクループのＳＴＢＣコード対を有するＰＵＣＣＨを伝送し、
第２のアンテナを介して第２のクループのＳＴＢＣコード対を有するＰＵＣＣＨを伝送するように構成され、
ここで、ｋは正の整数で、ｍ／２以下である
請求項１４に記載の装置。
【請求項１６】
ｍが奇数であるとき、前記伝送ダイバーシティモジュールはまた、ＰＵＣＣＨを伝送する前に、
前記ｍ個のＤＣＩシンボルのうちの時間的に最後のＤＣＩシンボルに対して巡回遅延ダイバーシティＣＤＤ又は空間直交リソース伝送ダイバーシティＳＯＲＴＤを実行して、最後のＤＣＩシンボルに対してＣＤＤ又はＳＯＲＴＤコードを構築するように構成される
請求項１５に記載の装置。
【請求項１７】
前記伝送器はまた、
第１又は第２のタイプのスロットのうちの単一のスロットで伝送されるＰＵＣＣＨを第１の部分と第２の部分とに分割し、
第１の周波数帯域でＰＵＣＣＨの第１の部分を伝送し、
第２の周波数帯域でＰＵＣＣＨの第２の部分を伝送するように構成される
請求項１０〜１６のいずれか１項に記載の装置。
【請求項１８】
ＰＵＣＣＨは、ＰＵＣＣＨの第２の部分がＲＳシンボルで始まるように分割される
請求項１７に記載の装置。
【請求項１９】
プロセッサーによって実行されたときにプロセッサーに請求項１〜９のいずれか１項に記載の方法を実行させる命令が記憶された非一時的コンピュータ読み取り可能な記録媒体。
【発明の詳細な説明】
【関連出願の参照】
【０００１】
本願は、２０１７年２月３日に出願された米国仮特許出願第６２／４５４，２１６号の優先権を主張するものであり、上記特許出願の内容全体を参照により本明細書に援用する。
【技術分野】
【０００２】
本発明は、通信技術分野に関し、特に情報伝送方法、装置及び記録媒体に関する。
【背景技術】
【０００３】
図１に示すように、第４世代（４ｔｈ−Ｇｅｎｅｒａｔｉｏｎ，４Ｇ）ロングタームエボリューション（Ｌｏｎｇ  Ｔｅｒｍ  Ｅｖｏｌｕｔｉｏｎ，ＬＴＥ）通信システムでは、物理アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）は、ダウンリンク物理ダウンリンク共有チャネル（Ｐｈｙｓｉｃａｌ  Ｕｐｌｉｎｋ  Ｓｈａｒｅｄ  Ｃｈａｎｎｅｌ，ＰＤＳＣＨ）伝送のためのＡｃｋ／ＮＡＣＫ等のようなアップリンク制御情報（Ｕｐｌｉｎｋ  Ｃｏｎｔｒｏｌ  Ｉｎｆｏｒｍａｔｉｏｎ，ＵＣＩ）、及びユーザ装置（Ｕｓｅｒ  Ｅｑｕｉｐｍｅｎｔ，ＵＥ）からのチャネル状態情報（Ｃｈａｎｎｅｌ  Ｓｔａｔｅ  Ｉｎｆｏｒｍａｔｉｏｎ，ＣＳＩ）フィードバックを搬送するために、システム帯域幅のエッジに固定数のシンボル（例えば、１４個のシンボル）を有するフルアップリンクサブフレームで伝送される。
【０００４】
第５世代（５ｔｈ−Ｇｅｎｅｒａｔｉｏｎ，５Ｇ）新無線（Ｎｅｗ  Ｒａｄｉｏ，ＮＲ）通信システムに関しては、より高い周波数の導入により、より大きい経路損失は、セルカバレッジを悪化させる可能性がある。セルエッジＵＥ又はカバレッジの問題を有するいずれのＵＥのためのアップリンク制御情報（ＵＣＩ）を伝送するために、長い持続時間を有するＰＵＣＣＨ（長いフォーマットを有するＰＵＣＣＨとも称される）の概念が提案されている。ここで、用語「長い持続時間」とは通常、ＰＵＣＣＨ内で少なくとも４つのシンボルを伝送することができることを意味する。したがって、所望の性能を実現するために、長い持続時間を有するＰＵＣＣＨを設計することが解決されるべき問題となる。
【発明の概要】
【発明が解決しようとする課題】
【０００５】
本発明の目的は、低いサービス遅延を実現することができる情報伝送方法を提供することにある。この方法は、ＰＵＣＣＨの開始位置にＲＳシンボルを配置し、ＰＵＣＣＨ内のＲＳシンボルの後にＵＣＩシンボルを配置し、そしてＰＵＣＣＨを伝送することを含む。
【課題を解決するための手段】
【０００６】
幾つかの実施例では、ＰＵＣＣＨは第１のタイプの１つ又は複数のスロットで伝送されてもよく、ここで、第１のタイプの各スロットにおける全てのシンボルは、ＰＵＣＣＨを伝送するための専用のアップリンクであり、ＰＵＣＣＨは第２のタイプの１つ又は複数のスロットで伝送されてもよく、ここで、第２のタイプの各スロットにおけるシンボルの半分以上は、ＰＵＣＣＨを伝送するための専用のアップリンクであり、又は、ＰＵＣＣＨは第１のタイプの１つ又は複数のスロット及び第２のタイプの１つ又は複数のスロットを含む複数のスロットで伝送されてもよい。第１又は第２のタイプの各スロットにおいて、ＰＵＣＣＨの開始位置で第１のＲＳシンボルを伝送してもよい。
【０００７】
幾つかの実施例では、第１又は第２のタイプの各スロットにおいて、第２のＲＳシンボルはまた、ＰＵＣＣＨの末端に配置されてもよく、及び／又は、第１又は第２のタイプの各スロットにおけるＰＵＣＣＨ内で、１つ又は複数の第３のＲＳシンボルは、ＵＣＩシンボル間に均等に配置される。
【０００８】
幾つかの実施例では、スロットにおける最後のシンボルがＲＳ又はＵＣＩシンボルで埋められるまで、第１又は第２のタイプの各スロットにおいてｎ個の連続するＵＣＩシンボルごとに直後に１つ又は２つのＲＳシンボルを配置してもよく、ここで、ｎは１以上の整数である。
【０００９】
幾つかの実施例では、ＰＵＣＣＨを伝送する前に、ＰＵＣＣＨ内のＵＣＩシンボルの少なくとも一部に対して時空間ブロック符号化（Ｓｐａｃｅ−Ｔｉｍｅ  Ｂｌｏｃｋ  Ｃｏｄｉｎｇ，ＳＴＢＣ）を実行して、ＳＴＢＣコードを構築してもよい。
【００１０】
幾つかの実施例では、ＰＵＣＣＨにおいてＵＣＩを搬送する各変調シンボルに対して直交シーケンスを生成してもよく、ここで、ＵＣＩシンボルは時間的にｍ個のＵＣＩシンボルを含み、ここで、ｍは整数で、２以上であり、ＵＣＩシンボルの少なくとも一部に対してＳＴＢＣを実行することは、時間的に（２ｋ−１）番目及び（２ｋ）番目のＵＣＩシンボルについて、（２ｋ−１）番目及び（２ｋ）番目のＵＣＩシンボルに対応する直交シーケンスの要素を直接に使用して、第１のクループのＳＴＢＣコード対を構築し、（２ｋ−１）番目及び（２ｋ）番目のＵＣＩシンボルに対応する生成された直交シーケンスの要素に対して共役変換を実行して、第２のクループのＳＴＢＣコード対を構築することを含んでもよく、第１のクループのＳＴＢＣコード対を有するＰＵＣＣＨは第１のアンテナを介して伝送されてもよく、第２のクループのＳＴＢＣコード対を有するＰＵＣＣＨは第２のアンテナを介して伝送されてもよく、ここで、ｋは正の整数で、ｍ／２以下である。
【００１１】
幾つかの実施例では、ｍが奇数であるとき、ＰＵＣＣＨを伝送する前に、ｍ個のＤＣＩシンボルのうちの時間的に最後のＤＣＩシンボルに対して巡回遅延ダイバーシティ（Ｄｙｃｌｉｃ  Ｄｅｌａｙ  ＤｉｖｅＲＳｉｔｙ，ＣＤＤ）又は空間直交リソース伝送ダイバーシティ（Ｓｐａｔｉａｌ  Ｏｒｔｈｏｇｏｎａｌ  Ｒｅｓｏｕｒｃｅ  Ｔｒａｎｓｍｉｔ  ＤｉｖｅＲＳｉｔｙ，ＳＯＲＴＤ）を実行して、最後のＤＣＩシンボルに対してＣＤＤ又はＳＯＲＴＤコードを構築してもよい。
【００１２】
幾つかの実施例では、ＰＵＣＣＨを伝送する前に、第１又は第２のタイプのスロットのうちの単一のスロットで伝送されるＰＵＣＣＨは、第１の部分と第２の部分とに分割されてもよく、ＰＵＣＣＨの第１の部分は第１の周波数帯域で伝送されてもよく、ＰＵＣＣＨの第２の部分は第２の周波数帯域で伝送されてもよい。
【００１３】
幾つかの実施例では、ＰＵＣＣＨは、ＰＵＣＣＨの第２の部分がＲＳシンボルで始まるように分割されてもよい。
【００１４】
本発明の別の目的は、低いサービス遅延を実現することができる情報伝送装置を提供することにある。この装置は、プロセッサーと、メモリに記憶されて、プロセッサーによって実行される１つ又は複数のモジュールと、を備え、前記１つ又は複数のモジュールは、第１のＲＳシンボルを物理アップリンク制御チャネル（ＰＵＣＣＨ）の開始位置に配置し、ＵＣＩシンボルをＰＵＣＣＨ内の第１のＲＳシンボルの後に配置するように構成される配置モジュールと、ＰＵＣＣＨを伝送するように構成される伝送器（ｔｒａｎｓｍｉｔｔｅｒ）と、を含む。
【００１５】
幾つかの実施例では、伝送器は、第１のタイプの１つ又は複数のスロットでＰＵＣＣＨを伝送し、ここで、第１のタイプの各スロットにおける全てのシンボルは、ＰＵＣＣＨを伝送するための専用のアップリンクであり、第２のタイプの１つ又は複数のスロットでＰＵＣＣＨを伝送し、ここで、第２のタイプの各スロットにおけるシンボルの半分以上は、ＰＵＣＣＨを伝送するための専用のアップリンクであり、第１のタイプの１つ又は複数のスロット及び第２のタイプの１つ又は複数のスロットを含む複数のスロットでＰＵＣＣＨを伝送することのうちの１つを実行するように構成されてもよく、ＲＳ配置モジュールは、第１又は第２のタイプの各スロットにおいて、第１のＲＳシンボルをＰＵＣＣＨの開始位置に配置するように構成されてもよい。
【００１６】
幾つかの実施例では、配置モジュールはまた、第１又は第２のタイプの各スロットにおいて第２のＲＳシンボルをＰＵＣＣＨの末端に配置すること、第１又は第２のタイプの各スロットのＰＵＣＣＨ内で、１つ又は複数の第３のＲＳシンボルをＵＣＩシンボル間に均等に配置することのうちの少なくとも１つを実行するように構成されてもよい。
【００１７】
幾つかの実施例では、配置モジュールはまた、スロットにおける最後のシンボルがＲＳ又はＵＣＩシンボルで埋められるまで、第１又は第２のタイプの各スロットにおいてｎ個の連続するＵＣＩシンボルごとに直後に１つ又は２つのＲＳシンボルを配置するように構成されてもよく、ここで、ｎは１以上の整数である。
【００１８】
幾つかの実施例では、前記１つ又は複数のモジュールは、ＰＵＣＣＨ内のＵＣＩシンボルの少なくとも一部に対して時空間ブロック符号化（ＳＴＢＣ）を実行して、ＳＴＢＣコードを構築するように構成される伝送ダイバーシティモジュールをさらに含んでもよい。
【００１９】
幾つかの実施例では、前記１つ又は複数のモジュールは、ＰＵＣＣＨにおいてＵＣＩを搬送する各変調シンボルに対して直交シーケンスを生成するように構成されるシーケンス生成モジュールをさらに含んでもよく、ここで、前記ＵＣＩシンボルは時間的にｍ個のＵＣＩシンボルを含み、ここで、ｍは整数で、２以上であり、伝送ダイバーシティモジュールは、時間的に（２ｋ−１）番目及び（２ｋ）番目のＵＣＩシンボルについて、（２ｋ−１）番目及び（２ｋ）番目のＵＣＩシンボルに対応する直交シーケンスの要素を直接に使用して、第１のクループのＳＴＢＣコード対を構築し、（２ｋ−１）番目及び（２ｋ）番目のＵＣＩシンボルに対応する生成された直交シーケンスの要素に対して共役変換を実行して、第２のクループのＳＴＢＣコード対を構築するように構成されてもよく、伝送器は、第１のアンテナを介して第１のクループのＳＴＢＣコード対を有するＰＵＣＣＨを伝送し、第２のアンテナを介して第２のクループのＳＴＢＣコード対を有するＰＵＣＣＨを伝送するように構成されてもよく、ここで、ｋは正の整数で、ｍ／２以下である。
【００２０】
幾つかの実施例では、伝送ダイバーシティモジュールはまた、ｍが奇数であるとき、ＰＵＣＣＨを伝送する前に、ｍ個のＤＣＩシンボルのうちの時間的に最後のＤＣＩシンボルに対して巡回遅延ダイバーシティ（ＣＤＤ）又は空間直交リソース伝送ダイバーシティ（ＳＯＲＴＤ）を実行して、最後のＤＣＩシンボルに対してＣＤＤ又はＳＯＲＴＤコードを構築するように構成されてもよい。
【００２１】
幾つかの実施例では、伝送器はまた、第１又は第２のタイプのスロットのうちの単一のスロットで伝送されるＰＵＣＣＨを第１の部分と第２の部分とに分割し、第１の周波数帯域でＰＵＣＣＨの第１の部分を伝送し、第２の周波数帯域でＰＵＣＣＨの第２の部分を伝送するように構成されてもよい。
【００２２】
幾つかの実施例では、ＰＵＣＣＨは、ＰＵＣＣＨの第２の部分がＲＳシンボルで始まるように分割されてもよい。
【００２３】
本発明は、プロセッサーによって実行されたときにプロセッサーに上記方法を実行させる命令が記憶された非一時的コンピュータ読み取り可能な記録媒体をさらに提供する。
【００２４】
本発明によれば、ＲＳ設計において、長い持続時間を有するＰＵＣＣＨのためにフロントロードＲＳが使用され、これにより、５Ｇ  ＴＲシステムにおいて低いサービス遅延を実現させる。ｎ個のＵＣＩシンボルごとに１つのＤＲＭＳシンボルを配置するように残りのＲＳシンボルを配置することができ、ここで、ｎは１以上の整数である。ホッピングはまた、長い持続時間を有するＰＵＣＣＨに使用されることもでき、これにより、より大きい周波数ダイバーシティ利得を得る。ＳＴＢＣが長い持続時間を有するＰＵＣＣＨの伝送ダイバーシティとして使用されるとき、ＳＴＢＣは、よりよい伝送ダイバーシティ利得をもたらし、追加のシーケンスリソースを必要とせず、カバレッジ及びロバスト性の性能を改善する。
【図面の簡単な説明】
【００２５】
【図１】４Ｇ  ＬＴＥシステムにおける典型的なＰＵＣＣＨ伝送方式を示す図である。
【図２】５Ｇ  ＮＲシステムにおける幾つかのスロット構造の例を示す図である。
【図３】本発明の実施例に係る情報伝送方法を示すフローチャートである。
【図４Ａ】本発明に係る１つのスロットにおいて長い持続時間を有するＰＵＣＣＨ内のＲＳ位置の幾つかの例を示す図である。
【図４Ｂ】本発明に係る複数のアップリンクのみのスロットにおいて長い持続時間を有するＰＵＣＣＨ内のＲＳ位置の例を示す図である。
【図５】本発明の実施例に係る情報伝送方法を示すフローチャートである。
【図６】本発明に係る長い持続時間を有するＰＵＣＣＨに対して伝送ダイバーシティとしてＳＴＢＣコードを構築することを示す模式図である。
【図７】本発明の実施例に係る情報伝送方法を示すフローチャートである。
【図８Ａ】本発明に係るアップリンクのみのスロットにおいて長い持続時間を有するＰＵＣＣＨのスロット内ホッピングを示す図である。
【図８Ｂ】本発明に係るアップリンクのみのスロットにおいて長い持続時間を有するＰＵＣＣＨのスロット内ホッピングの別の例を示す図である。
【図８Ｃ】本発明に係るアップリンク中心のスロットにおいて長い持続時間を有するＰＵＣＣＨのスロット内ホッピングの例を示す図である。
【図９】本発明の実施例に係る情報伝送装置を示すブロック図である。
【図１０】本発明の実施例に係るＵＥを示す簡略構造図である。
【発明を実施するための形態】
【００２６】
次に、図面を参照しながら様々な態様について説明する。以下の説明では、説明の目的で、１つまたは複数の態様の完全な理解を与えるために多数の具体的な詳細を記載する。ただし、そのような態様は、これらの具体的な詳細なしに実施され得ることは明らかであろう。
【００２７】
本明細書では、ユーザ装置（Ｕｓｅｒ  Ｅｑｕｉｐｍｅｎｔ，ＵＥ）に関連して様々な態様について説明しており、ユーザ装置は、無線端末であってもよい。ＵＥはまた、システム、装置、加入者ユニット、加入者局、移動局、移動電話、移動装置、遠隔局、遠隔端末、アクセス端末、ユーザ端末、端末、通信装置、ユーザエージェント又はユーザ装置と称されてもよい。ＵＥは、携帯電話、衛星電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（ＰｅＲＳｏｎａｌ  Ｄｉｇｉｔａｌ  Ａｓｓｉｓｔａｎｔ，ＰＤＡ）、無線接続能力のあるハンドヘルド装置、計算装置又は無線モデムに接続する他の処理装置であってもよい。さらに、本明細書では、基地局に関連して様々な態様について説明している。基地局は、無線端末と通信するために使用されることができ、アクセスポイント、ノードＢ、進化型ノードＢ（ｅｖｏｌｖｅｄ  Ｎｏｄｅ  Ｂ，ｅＮＢ）、Ｈ（ｅ）ＮＢ又は幾つかの他の用語で称されてもよい。
【００２８】
以下、本発明の実施例に係る情報伝送方法及び装置の完全な理解を与えるために、まず、５Ｇ  ＮＲシステムで使用されるスロット構造を紹介する。図２は、５Ｇ  ＮＲシステムにおける幾つかのスロット構造の例を示す図である。例として、スロットは、アップリンクのみのスロット（ｕｐｌｉｎｋ  ｏｎｌｙ  ｓｌｏｔ）、アップリンク中心のスロット（ｕｐｌｉｎｋ−ｃｅｎｔｒｉｃ  ｓｌｏｔ）及びダウンリンク中心のスロット（ｄｏｗｎｌｉｎｋ−ｃｅｎｔｒｉｃ  ｓｌｏｔ）に分類することができる。
【００２９】
アップリンクのみのスロットについて、アップリンクのみのスロットにおける全てのシンボルは、アップリンク（Ｕｐｌｉｎｋ，ＵＬ）伝送のために使用され、長い持続時間を有するＰＵＣＣＨは、システム帯域幅の中間部分（図２に示すように）又はシステム帯域幅のエッジ（図示せず）等で伝送されることができる。
【００３０】
アップリンク中心のスロットについて、アップリンク中心のスロットには、ＵＬ伝送及びダウンリンク（Ｄｏｗｎｌｉｎｋ，ＤＬ）伝送に使用されるシンボルが含まれ、ここで、アップリンクシンボルがより多く存在し、ＤＬ／ＵＬ伝送間にガード期間（Ｇｕａｒｄ  Ｐｅｒｉｏｄ，ＧＰ）が存在して、ＵＥがＤＬ受信からＵＬ伝送に切り替えることを可能にし、システム帯域幅の中間部分（図２に示す）又はシステム帯域幅（図示せず）のエッジ等で長い持続時間を有するＰＵＣＣＨを伝送することができる。
【００３１】
ダウンリンク中心のスロットについて、ダウンリンク中心のスロットには、ＵＬ伝送及びダウンリンク伝送に使用されるシンボルが含まれ、ここで、ダウンリンクシンボルがより多く存在し、ＤＬ／ＵＬ伝送間にガード期間が存在して、ＵＥがＤＬ受信からＵＬ伝送に切る替えることを可能にする。ダウンリンク中心のスロットにおけるアップリンクシンボルの数は相対的に少ないので、ダウンリンク中心のスロットは、長い持続時間を有するＰＵＣＣＨを伝送するのに適していないことがある。
【００３２】
ＤＦＴ−Ｓ−ＯＦＤＭは、長い持続時間を有するＰＵＣＣＨに使用され、参照信号（Ｒｅｆｅｒｅｎｃｅ  Ｓｉｇｎａｌ，ＲＳ）及びアップリンク制御情報（ＵＣＩ）は、時分割多重化（Ｔｉｍｅ−Ｄｉｖｉｓｉｏｎ  Ｍｕｌｔｉｐｌｅｘｉｎｇ，ＴＤＭ）方式で多重化されるので、ＰＵＣＣＨに使用される復調参照信号（Ｄｅｍｏｄｕｌａｔｉｏｎ  Ｒｅｆｅｒｅｎｃｅ  Ｓｉｇｎａｌ，ＤＭＲＳ、ここではＲＳと同じ意味を有し、パイロット信号と称されてもよい）は、それら自身のシンボルを占有してもよい。５Ｇ  ＴＲシステムにおける幾つかのサービスの重要な要件の低い遅延を実現するために、発明者らは、ＲＳ設計が長い持続時間を有するＰＵＣＣＨの重要な設計態様であることを発見した。言い換えれば、ＬＴＥシステムにおける位置からＤＭＲＳの位置を再設計する必要がある。
【００３３】
この問題を解決するために、本発明では、フロントロードＤＭＲＳ原理は、長い持続時間を有するＰＵＣＣＨに使用される。
【００３４】
本発明の幾つかの実施例によれば、情報伝送方法が提供される。この方法は、ＵＥに適用される。図３に示すように、この方法は、下記のステップを含んでもよい。
【００３５】
ステップ３０１において、ＲＳシンボルをＰＵＣＣＨの開始位置に配置し、ＵＣＩシンボルをＰＵＣＣＨ内のＲＳシンボルの後に配置する。
【００３６】
ステップ３０２において、ＰＵＣＣＨを伝送する。具体的に、ＰＵＣＣＨは、ＵＥと通信する基地局に伝送される。
【００３７】
１つ又は複数の実施例では、ステップ３０１は、残りのＲＳシンボルの配置／位置をさらに含んでもよい。一実施例では、ＰＵＣＣＨの末端にＲＳシンボルが配置され、これにより、ネットワーク側のＵＣＩ復調の精度を向上させる。一実施例では、１つ又は複数のＲＳシンボルは、ＵＣＩシンボル間に均等に配置されてもよい。具体的に、ｎ個のＵＣＩシンボル（ここで、ｎは１以上の整数である）ごとに１つのＤＲＭＳシンボルを配置するように残りのＤＭＲＳシンボルを配置し、これについては、後で詳細に説明する。
【００３８】
実際には、ＰＵＣＣＨ内のＲＳシンボル及びＤＣＩシンボルの位置を予め決定できる。すなわち、様々な実施例における上記ステップ３０１において、ＲＳシンボル及びＤＣＩシンボルを配置する動作は、必要に応じて組み合わされてもよく、任意の順序で、又は同時に実行されてもよい。
【００３９】
図４Ａは、本発明に係る１つのスロットにおいて長い持続時間を有するＰＵＣＣＨ内のＲＳ位置の幾つかの例を示す図である。図には、アップリンクのみのスロットからＤＬ／ＵＬ伝送を有する２つのアップリンク中心のスロットまでの範囲の幾つかのスロット構造を示している。これらの例で使用されるＲＳ配置原理は、１）ＰＵＣＣＨの開始位置にフロントロードＤＭＲＳを配置し、２）ｎ個のＵＣＩシンボルごとに１つのＤＲＭＳシンボルを配置するように残りのＤＭＲＳシンボルを配置することを含み、ここで、ｎは１以上の整数である。
【００４０】
具体的に、図４Ａに示すように、アップリンクのみのスロット及びアップリンク中心のスロットは、長い持続時間を有するＰＵＣＣＨの伝送に使用される。ここで、各スロットは、７つのシンボルを含む。しかしながら、これは単なる例にすぎず、もちろん、スロットは、７つより多い又は少ないシンボを含んでもよいことに留意すべきである。
【００４１】
図４の上部に示されているアップリンクのみのスロットについて、アップリンクのみのスロットにおける全てのシンボルは、ＰＵＣＣＨを伝送するための専用のアップリンクシンボルであり、第１のシンボル、第４のシンボル（スロットの中間）及びスロットの最後のシンボルにＲＳシンボルを配置する。これらのＲＳ配置は、２つのＲＳシンボルの間に２つの連続するＵＣＩシンボルを可能にしていることが留意され、これはＳＴＢＣ伝送ダイバーシティ方式の実現に有利であり、これについては、後で詳細に説明する。
【００４２】
もちろん、ＳＴＢＣとは異なる別のダイバーシティ方式を採用するとき、２つのＲＳシンボルの間に２つの連続するＵＣＩシンボルを維持する必要はない。例えば、２つのＲＳシンボルの間にただ１つのＵＣＩシンボルが存在することがある。
【００４３】
図４の中間に示されているアップリンク中心のスロットについて、ＤＬ伝送に使用される１つのシンボル（第１のシンボル）、ＵＬ伝送に使用される５つのシンボル、ＤＬ伝送からＵＬ伝送に切り替えるためのガード期間が存在する。これら５つのシンボルは、ＰＵＣＣＨの伝送専用であり、ここで、ＲＳシンボルは、第１及び第４のシンボルに配置される。これらのＲＳ配置はまた、２つのＲＳシンボルの間に２つの連続するＵＣＩシンボルを可能にし、同時に、ＰＵＣＣＨ内に残りの分離されたＤＣＩシンボル（即ち、最後のＤＣＩシンボル）が存在することが留意される。
【００４４】
図４の下部に示されているアップリンク中心のスロットについて、ＤＬ伝送に使用される２つのシンボル（第１及び第２のシンボル）、ＵＬ伝送に使用される４つのシンボル、ＤＬ伝送からＵＬ伝送に切り替えるためのガード期間が存在する。これら４つのシンボルは、ＰＵＣＣＨの伝送専用であり、ここで、ＲＳシンボルは、第１及び第４のシンボルにそれぞれ位置し、即ち、ＰＵＣＣＨの開始位置及び末端にそれぞれ位置する。これらのＲＳ配置はまた、２つのＲＳシンボルの間に２つの連続するＵＣＩシンボルを可能にしていることが留意される。
【００４５】
図４Ｂは、本発明に係る複数のアップリンクのみのスロットにおいて長い持続時間を有するＰＵＣＣＨ内のＲＳ位置を示す図である。この例では、アップリンクのみのスロットを集約し、ＰＵＣＣＨに対してアップリンクのみのスロットを割り当てる。ＤＭＲＳの配置は、ＰＵＣＣＨに使用される集約スロット内で非常に均一なＲＳ分布を提供し、２つのＤＭＲＳシンボルの間に２つの連続するＵＣＩシンボルを可能にしていることが留意され、ＳＴＢＣ伝送ダイバーシティ方式の実現に有利である。図４Ａの例との別の区別は、第１又は第２のタイプの各スロットにおいて、スロットにおける最後のシンボルがＲＳ又はＵＣＩシンボルで埋められるまで、２つの連続するＵＣＩシンボルごとに直後に２つの連続するＲＳシンボル（第４及び第５のシンボルに位置する）を配置していることにある。
【００４６】
図４Ｂに示すように、２つの連続するＲＳシンボルを配置することは、図４Ａのシーンに適用されることに留意すべきである。図４Ｂのこのシーンでは、スロット集約が使用されていない。
【００４７】
長い持続時間を有するＰＵＣＣＨの別の設計態様では、ＰＵＣＣＨの改善されたカバレッジエリア及びロバスト性の性能を考慮している。データチャネルとは異なり、制御チャネルには、その１回目の伝送を修正／改善するための再送メカニズムが存在しない。５Ｇ  ＮＲシステムについて、より高い周波数の導入により、より大きい経路損失は、セルカバレッジを悪化させる可能性がある。ダウンリンクについて、ビームフォーミング（Ｂｅａｍ  Ｆｏｒｍｉｎｇ，ＢＦ）を使用することは、これらの経路損失を補償し、セルカバレッジを改善することができる。しかしながら、アップリンクにおけるＢＦは、ダウンリンクにおけるように効果的ではないことがあり、したがって、セルカバレッジが問題になることがある。この問題を解決するために、長い持続時間を有するＰＵＣＣＨのアップリンクにおいて、離散フーリエ変換拡散ＯＦＤＭ（ＤＦＴ−Ｓ−ＯＦＤＭ）波形を採用しているため、ＰＡＰＲが低下され、したがって、パワーバックオフがより小さくなり、カバレッジがより広い。この点をさらに改善するために、本発明では、伝送ダイバーシティを考慮している。
【００４８】
伝送ダイバーシティについて、Ａｌａｍｏｕｔｉに基づく伝送ダイバーシティ、巡回遅延ダイバーシティ、空間直交リソース伝送ダイバーシティを含む幾つかの方式を考慮できる。表１に示すように、各方式は、利点と欠点を有する。
【００４９】
【表１】
2020508598.tif 000003
【００５０】
ＤＦＴ−Ｓ−ＯＦＤＭは、長い持続時間を有するＰＵＣＣＨとして使用されるので、Ｚａｄｏｆｆ−Ｃｈｕシーケンスセットのような直交シーケンスは、ＵＣＩ及びＲＳの変調シーケンスとして使用されることができる。これらのシーケンスは、周波数に沿ってマッピングされ、同じシンボルを多重化する前に、複数のシーケンスを使用して同じ／異なるＵＥからのＵＣＩを変調することができる。各シーケンスは、並び替えることができない１組の複素数値からなるので、ＳＦＢＣは、伝送ダイバーシティとして使用されることができない。
【００５１】
そこで、本発明では、長い持続時間を有するＰＵＣＣＨの伝送ダイバーシティとしてＳＴＢＣを提案する。
【００５２】
本発明の幾つかの実施例によれば、情報伝送方法が提供される。この方法は、ＵＥに適用される。図５に示すように、この方法は、下記のステップを含んでもよい。
【００５３】
ステップ５０１において、ＲＳシンボル及びＵＣＩシンボルをＰＵＣＣＨ内に配置する。
【００５４】
ステップ５０２において、ＰＵＣＣＨ内のＵＣＩシンボルの少なくとも一部に対して時空間ブロック符号化（ＳＴＢＣ）を実行してＳＴＢＣコードを構築する。
【００５５】
ステップ５０３において、ＰＵＣＣＨを伝送する。具体的に、ＰＵＣＣＨは、ＵＥと通信する基地局に伝送される。
【００５６】
ステップ５０１について、ＲＳシンボル及びＵＣＩシンボルの具体的な配置は、図３に関連して説明した実施例と、図４Ａ及び図４Ｂに関連して説明した例とを参照できるので、ここで詳細な説明を省略する。
【００５７】
ＳＴＢＣに関しては、具体的に、例では、二位相偏移変調（Ｂｉｎａｒｙ  Ｐｈａｓｅ  Ｓｈｉｆｔ  Ｋｅｙｉｎｇ，ＢＰＳＫ）又は直交位相偏移変調（Ｑｕａｄｒａｔｕｒｅ  Ｐｈａｓｅ  Ｓｈｉｆｔ  Ｋｅｙｉｎｇ，ＱＰＳＫ）等のような変調方式を使用してＵＣＩを変調し、その後、ＰＵＣＣＨにおいてＵＣＩを搬送する各変調シンボルに対して直交シーケンスを生成することができ、ここで、ＵＣＩシンボルは時間的にｍ個のＵＣＩシンボルを含み、ここで、ｍは整数で、２以上である。直交シーケンスを生成した後、ＳＴＢＣを実行し、次の通りである。
【００５８】
図６は、本発明に係る長い持続時間を有するＰＵＣＣＨとしてＳＴＢＣコードを構築する伝送ダイバーシティの模式図である。（２ｋ−１）番目及び（２ｋ）番目のＵＣＩシンボルａ及びｂを例として、ここで、ｋは正の整数で、ｍ／２以下であり、生成された直交シーケンスはそれぞれ
2020508598.tif 000004
であり、ここで、
2020508598.tif 000005
であり、直交シーケンス
2020508598.tif 000006
の要素は、第１のクループのＳＴＢＣコード対を構築するために直接に使用され、例えば、第１対は
2020508598.tif 000007
、第２対は
2020508598.tif 000008
、．．．、第ｎ対は
2020508598.tif 000009
である。また、生成された直交シーケンス
2020508598.tif 000010
の要素に対して共役変換を実行して第２のクループのＳＴＢＣコード対を構築し、例えば、第１対は
2020508598.tif 000011
、第２対は
2020508598.tif 000012
、．．．及び第ｎ対は
2020508598.tif 000013
である。
【００５９】
図６に示すように、ＰＵＣＣＨを伝送する前に、第１及び第２のクループのＳＴＢＣコード対と、ＲＳシンボルに対応する直交シーケンスとに対して、一緒に逆高速フーリエ変換（ＩｎｖｅＲＳｅ  Ｆａｓｔ  Ｆｏｕｒｉｅｒ  Ｔｒａｎｓｆｏｒｍ，ＩＦＦＴ）を実行して、それらを時間区域に変換する。ＩＦＦＴは当業者に知られており、ここで詳細な説明を省略する。その後、第１のアンテナＡｎｔ１を介して第１のクループのＳＴＢＣコード対を有するＰＵＣＣＨを伝送し、第２のアンテナＡｎｔ２を介して第２のクループのＳＴＢＣコード対を有するＰＵＣＣＨを伝送する。
【００６０】
ＳＴＢＣが長い持続時間を有するＰＵＣＣＨの伝送ダイバーシティとして使用される場合、ＰＵＣＣＨで伝送されるＵＣＩは、ＰＵＣＣＨに対して割り当てられた時間周波数リソース内の同じ／異なるシンボルに対して拡散／繰り返し及び伝送を行うことができる。ＳＴＢＣコードは直交しているので、優れたダイバーシティ性能を実現することができ、これにより、長い時間を有するＰＵＣＣＨのカバレッジ及びロバスト性の性能を向上させ、さらに、それ以上のシーケンスリソースがもはや必要とされない。
【００６１】
ＳＴＢＣコードを構築するための時間的なシンボル対が必要とされるので、幾つかの実施例では、時間区域で分離シンボルが残られることがある（例えば、ｍが奇数であるとき）。この場合、ＣＤＤ又はＳＯＲＴＤのような他の伝送ダイバーシティ方式が分離シンボルに使用されることができる。
【００６２】
周波数ダイバーシティ利得を増加させるために、本発明では、長い持続時間を有するＰＵＣＣＨのさらに別の設計態様としてホッピングをさらに提案する。
【００６３】
本発明の幾つかの実施例によれば、情報伝送方法が提供される。この方法は、ＵＥに適用される。図７に示すように、この方法は、下記のステップを含んでもよい。
ステップ７０１において、ＲＳシンボル及びＵＣＩシンボルをＰＵＣＣＨ内に配置する。
【００６４】
ステップ７０２において、ＰＵＣＣＨが時間的に少なくとも２つの部分に分割される。
【００６５】
ステップ７０３において、各部分が対応する周波数帯域で伝送されるようにＰＵＣＣＨを伝送する。
【００６６】
一実施例では、ステップ７０１について、ＲＳシンボル及びＵＣＩシンボルの具体的な配置は、図３に関連して説明した実施例と、図４Ａ及び図４Ｂに関連して説明した例とを参照できるので、ここで詳細な説明を省略する。
【００６７】
もちろん、伝送ダイバーシティは、ホッピングと組み合わされて最適な性能を実現することができる。例えば、ステップ５０２は、ステップ７０２の前に実行されることができる。これらの組み合わせは、当業者に理解され得るので、ここで詳細な説明を省略する。
【００６８】
ホッピングに対して、長い持続時間を有するＰＵＣＣＨのスロット内及びスロット間ホッピングを使用することができる。スロット内ホッピングの態様では、別の一部の周波数にホップした部分（シンボル）は、開始部分としてＲＳシンボルを必要とすることがある。図８Ａ及び図８Ｂは、本発明に係るアップリンクのみのスロットにおいて長い持続時間を有するＰＵＣＣＨのスロット内ホッピングの２つの例を示す図であり、上記図４Ａ及び図４Ｂに示すようなＲＳ設計を使用している。通常、ＤＭＲＳシンボルの設計時、このような動作を考慮し、２組のＤＭＲＳの設計（１組は非ホッピングに、１組はホッピングに使用される）を回避することが有益である。図８Ｃは、本発明に係るアップリンク中心のスロットにおいて長い持続時間を有するＰＵＣＣＨのスロット内ホッピングを示す図である。アップリンク中心のスロットは、アップリンク中心のスロットのＰＵＣＣＨに使用されるより多いアップリンクシンボルを有するので、アップリンク中心のスロットに対してスロット内ホッピングを適用することがより価値があることがある。
【００６９】
この実施例では、ホッピング、特にスロット内ホッピングは、長い持続時間を有するＰＵＣＣＨに使用され、ＰＵＣＣＨ内のＵＣＩは、異なる周波数帯域で伝送されることができるので、周波数ダイバーシティ利得を向上させる。
【００７０】
上記幾つかの情報伝送方法の実施例に基づき、本発明の幾つかの実施例に係る情報伝送装置が提供される。
【００７１】
図９に示すように、情報伝送装置９００は、配置モジュール９０１と、伝送モジュール９０２とを備える。実際には、配置モジュール９０１は、メモリに記憶されて、プロセッサーによって実行されるソフトウェアモジュールにより実現されることができ、ハードウェア回路であってもよく、又はそれらの組み合わせであってもよい。したがって、場合によっては、配置モジュール９０１は、配置回路と称されてもよい。伝送モジュール９０２は、複数のアンテナを備える伝送器回路により実現されることができる。
【００７２】
配置モジュール９０１は、ＰＵＣＣＨの開始位置に第１のＲＳシンボルを配置し、ＰＵＣＣＨ内の第１のＲＳシンボルの後にＵＣＩシンボルを配置するように構成されてもよい。
【００７３】
伝送モジュール９０２は、ＰＵＣＣＨを伝送するように構成されてもよい。
一実施例では、伝送器は、第１のタイプの１つ又は複数のスロットでＰＵＣＣＨを伝送し、ここで、第１のタイプの各スロットにおける全てのシンボルは、ＰＵＣＣＨを伝送するための専用のアップリンクであり、第２のタイプの１つ又は複数のスロットでＰＵＣＣＨを伝送し、ここで、第２のタイプの各スロットにおけるシンボルの半分以上は、ＰＵＣＣＨを伝送するための専用のアップリンクであり、第１のタイプの１つ又は複数のスロット及び第２のタイプの１つ又は複数のスロットを含む複数のスロットでＰＵＣＣＨを伝送することのうちの１つを実行するように構成されてもよく、配置モジュールは、第１又は第２のタイプの各スロットにおいて、第１のＲＳシンボルをＰＵＣＣＨの開始位置に配置するように構成されてもよい。
【００７４】
一実施例では、配置モジュール９０１はまた、第１又は第２のタイプの各スロットにおいて、ＰＵＣＣＨの末端に第２のＲＳシンボルを配置すること、第１又は第２のタイプの各スロットのＰＵＣＣＨ内で、ＵＣＩシンボル間に１つ又は複数の第３のＲＳシンボルを均等に配置することのうちの少なくとも1つを実行するように構成されてもよい。
【００７５】
一実施例では、配置モジュール９０１はまた、第１又は第２のタイプの各スロットにおいて、スロットにおける最後のシンボルがＲＳ又はＵＣＩシンボルで埋められるまで、ｎ個の連続するＵＣＩシンボルごとに直後に１つ又は２つのＲＳシンボルを配置するように構成されてもよく、ここで、ｎは１以上の整数である。
【００７６】
一実施例では、装置９００は、ＰＵＣＣＨ内のＵＣＩシンボルの少なくとも一部に対して時空間ブロック符号化（ＳＴＢＣ）を実行して、ＳＴＢＣコードを構築するように構成される伝送ダイバーシティモジュール９０３をさらに備えてもよい。実際には、伝送ダイバーシティモジュール９０３は、メモリに記憶されて、プロセッサーによって実行されるソフトウェアモジュールにより実現されることができ、ハードウェア回路であってもよく、又はその組み合わせであってもよい。したがって、場合によっては、伝送ダイバーシティモジュール９０３は、伝送ダイバーシティ回路又は伝送ダイバーシティエンコーダと称されてもよい。
【００７７】
一実施例では、装置９００は、シーケンス生成モジュール９０５をさらに備えてもよい。実際には、シーケンス生成モジュール９０５は、メモリに記憶されて、プロセッサーによって実行されるソフトウェアモジュールにより実現されることができ、ハードウェア回路であってもよく、又はそれらの組み合わせであってもよい。したがって、場合によっては、シーケンス生成モジュール９０５は、シーケンス生成回路又はシーケンス生成器と称されてもよい。シーケンス生成モジュール９０５は、ＰＵＣＣＨにおいてＵＣＩを搬送する各変調シンボルに対して直交シーケンスが生成するように構成されてもよく、ここで、前記ＵＣＩシンボルは、時間的にｍ個のＵＣＩシンボルを含み、ここで、ｍは整数で、２以上であり、この実施例では、伝送ダイバーシティモジュール９０４は、時間的に（２ｋ−１）番目及び（２ｋ）番目のＵＣＩシンボルについて、（２ｋ−１）番目及び（２ｋ）番目のＵＣＩシンボルに対応する直交シーケンスの要素を直接に使用して、第１のクループのＳＴＢＣコード対を構築し、（２ｋ−１）番目及び（２ｋ）番目のＵＣＩシンボルに対応する生成された直交シーケンスの要素に対して共役変換を実行して、第２のクループのＳＴＢＣコード対を構築するように構成され、ここで、ｋは正の整数で、ｍ／２以下であり、伝送モジュール９０３は、第１のアンテナを介して第１のクループのＳＴＢＣコード対を有するＰＵＣＣＨを伝送し、第２のアンテナを介して第２のクループのＳＴＢＣコード対を有するＰＵＣＣＨを伝送するように構成されてもよい。
【００７８】
一実施例では、ｍが奇数であるとき、ＰＵＣＣＨを伝送する前に、伝送ダイバーシティモジュール９０４はまた、ｍ個のＤＣＩシンボルのうちの時間的に最後のＤＣＩシンボルに対して巡回遅延ダイバーシティ（ＣＤＤ）又は空間直交リソース伝送ダイバーシティ（ＳＯＲＴＤ）を実行して、最後のＤＣＩシンボルに対してＣＤＤ又はＳＯＲＴＤコードを構築するように構成されてもよい。
【００７９】
一実施例では、伝送モジュール９０３はまた、第１又は第２のタイプのスロットのうちの単一のスロットで伝送されるＰＵＣＣＨを第１の部分と第２の部分とに分割し、第１の周波数帯域でＰＵＣＣＨの第１の部分を伝送し、第２の周波数帯域でＰＵＣＣＨの第２の部分を伝送するように構成されてもよい。ＰＵＣＣＨは、ＰＵＣＣＨの第２の部分がＲＳシンボルで始まるように分割されてもよい。
【００８０】
図１０は、本発明の実施例に係るＵＥの簡略構造図である。ＵＥ１０００は、プロセッサー１００１と、メモリ１００２と、複数のアンテナを有する伝送器１００３と、他の部品（例えば、タッチスクリーン（図示せず））と、を備えてもよい。メモリ１００２には、プロセッサー１００１によって実行されたときにプロセッサー１００１に図１、図５及び図７に記載の方法のうちの少なくとも１つを実行させるプログラム命令が記憶される。ＵＥ１０００で図９に示す装置を実現できる。
【００８１】
ここに説明されている装置の利点は、情報伝送方法について説明したものに対応するので、ここでこれらの利点の説明を省略する。
【００８２】
当業者であれば、上記実施例の全部又は一部のステップが、コンピュータプログラムフローによって実現できることが理解される。コンピュータプログラムは、コンピュータ読み取り可能な記録媒体に記憶され、対応するハードウェアプラットフォーム（例えば、システム、機器、装置、デバイス等）で実行されて、方法の実施例のステップ中の１つ又はその組み合わせを実行することができる。
【００８３】
選択的に、上記実施例の全部又は一部のステップは、集積回路（Ｉｎｔｅｇｒａｔｅｄ  Ｃｉｒｃｕｉｔ，ＩＣ）を使用して実現することができる。これらのステップは、１つ又は複数のＩＣモジュールにより実現できる。このように、本発明は、ハードウェア回路及びソフトウェアの任意の特定の組み合わせに限定されない。
【００８４】
上記実施例における各装置、機能モジュール又は機能ユニットは、汎用計算装置を使用して実現でき、汎用計算装置は単一の計算装置に位置されてもよく、又は複数の計算装置を備えるネットワーク上に分散されてもよい。
【００８５】
上記実施例における各装置、機能モジュール又は機能ユニットがソフトウェア機能モジュールの形で実現されて、独立した製品として販売又は使用される場合、コンピュータ読み取り可能な記録媒体に記憶されてもよい。上記コンピュータ読み取り可能な記録媒体は、磁気ディスク及び／又は光ディスクであってもよく、例えば、読み取り専用メモリ（Ｒｅａｄ−Ｏｎｌｙ  Ｍｅｍｏｒｙ，ＲＯＭ）等であってもよい。
【００８６】
上記は、本発明の好ましい実施例にすぎず、本発明の保護範囲を限定するものではなく、本発明の範囲及び精神を逸脱することなく、様々な置き換え、修正及び変更が可能であることは当業者には明らかであろう。したがって、本発明の保護範囲は特許請求の範囲に従ってのみ解釈されるべきである。
【産業上の利用可能性】
【００８７】
本発明によれば、ＲＳ設計において、長い持続時間を有するＰＵＣＣＨのためにフロントロードＲＳが使用され、これにより、５Ｇ  ＴＲシステムにおいて低いサービス遅延を実現させる。ＳＴＢＣが長い持続時間を有するＰＵＣＣＨの伝送ダイバーシティとして使用されるとき、ＳＴＢＣは、よりよい伝送ダイバーシティ利得をもたらし、追加のシーケンスリソースを必要とせず、カバレッジ及びロバスト性の性能を改善する。ｎ個のＵＣＩシンボルごとに１つのＤＭＲＳシンボルを配置するように残りのＲＳシンボルを配置することができる。ホッピングはまた、長い持続時間を有するＰＵＣＣＨに使用されることもでき、これにより、より大きい周波数ダイバーシティ利得を得る。
【図１】
2020508598.tif 000014
【図２】
2020508598.tif 000015
【図３】
2020508598.tif 000016
【図４Ａ】
2020508598.tif 000017
【図４Ｂ】
2020508598.tif 000018
【図５】
2020508598.tif 000019
【図６】
2020508598.tif 000020
【図７】
2020508598.tif 000021
【図８Ａ】
2020508598.tif 000022
【図８Ｂ】
2020508598.tif 000023
【図８Ｃ】
2020508598.tif 000024
【図９】
2020508598.tif 000025
【図１０】
2020508598.tif 000026
【国際調査報告】
2020508598.tif 000027
2020508598.tif 000028